(57)【要約】【課題】差込部をコード差込部から引き抜かれないように確実に保持することが可能となる差込部保持構造及び投写型映像表示装置を提供する。【解決手段】差込部保持構造は、コード差込口が設けられているプロジェクタ本体装置と、コード差込口に差し込まれるプラグ４１Ａが設けられた電源コード４Ａとを備え、コード差込口に差し込まれている状態のプラグ４１Ａを、コード差込口から引き抜かれないように保持する。アタッチメント５がプラグ４１Ａに装着されることにより、アタッチメント５とプラグ４１Ａとが係合する。また、プロジェクタ本体装置に対して取り付けられた保持金具３が、コード差込口に差し込まれている状態のプラグ４１Ａに装着されているアタッチメント５と係合して、保持金具３とアタッチメント５が係合することにより、保持金具３が、アタッチメント５及びプラグ４１Ａの引抜方向への移動を規制する。【選択図】図３
2013030438.tif 000002
【特許請求の範囲】
【請求項１】
コード差込口が設けられている電気機器と、前記コード差込口に差し込まれる差込部が設けられたコードとを備え、前記コード差込口に差し込まれている状態の前記差込部を、前記コード差込口から引き抜かれないように保持する差込部保持構造において、
前記差込部を前記コード差込口に差し込む方向を「差込方向」とし、差込方向の反対方向であって前記差込部を前記コード差込口から引き抜く方向を「引抜方向」としたとき、
前記差込部に対して着脱自在なアタッチメントが前記差込部に装着されることにより、前記アタッチメントと前記差込部とが係合し、
前記電気機器に対して取り付けられた保持金具が、前記コード差込口に差し込まれている状態の前記差込部に装着されている前記アタッチメントと係合し、
前記保持金具と前記アタッチメントが係合することにより、前記保持金具が、前記電気機器に対する前記アタッチメント及び前記差込部の引抜方向への移動を規制する
ことを特徴とする差込部保持構造。
【請求項２】
前記保持金具が前記アタッチメントと係合して引抜方向への前記差込部の移動を規制する状態を「保持状態」とし、前記保持金具が前記アタッチメントと係合せずに引抜方向への前記差込部の移動が可能な状態を「保持解除状態」としたとき、
前記保持金具が、前記電気機器に対して所定の回転中心軸を回転の中心として回転可能に設けられ、
前記保持金具の回転により保持解除状態から保持状態に変化し、
前記保持金具が、保持状態において前記アタッチメントに対して引抜方向に位置する係止部を有し、この係止部が保持状態において前記電気機器に対する前記アタッチメントの移動を係止し、
前記アタッチメントが、前記係止部に当接する金具当接面を有し、この金具当接面が、前記保持金具が回転する方向に沿って湾曲している曲面である
ことを特徴とする請求項１に記載の差込部保持構造。
【請求項３】
保持状態において前記係止部が前記金具当接面に対して圧着される
ことを特徴とする請求項２に記載の差込部保持構造。
【請求項４】
前記保持金具の回転に伴って回転中心軸を中心として回転する前記係止部の軌跡を「金具回転軌跡」としたとき、
回転中心軸に平行な方向から見て、前記金具当接面が、金具回転軌跡に比べて大きな曲率を有する曲面である
ことを特徴とする請求項２または３に記載の差込部保持構造。
【請求項５】
前記アタッチメントには、保持状態の前記保持金具を保持する金具保持突起が設けられている
ことを特徴とする請求項２〜４のいずれか一項に記載の差込部保持構造。
【請求項６】
前記アタッチメントには、前記差込部の一部を通すことが可能な内周を有する貫通孔が形成され、
前記アタッチメントが、前記貫通孔が前記アタッチメントを貫通する方向を「貫通方向」として、貫通方向から見て、貫通方向に垂直な方向である前記アタッチメントの外部方向に、前記貫通孔の内周を開放する開放部を有し、
前記開放部が前記コードを通すことが可能に形成され、前記外部方向から見て、前記開放部の寸法が前記貫通孔の寸法に比べて小さい
ことを特徴とする請求項１〜５のいずれか一項に記載の差込部保持構造。
【請求項７】
前記アタッチメントは合成樹脂材料により形成される
ことを特徴とする請求項１〜６のいずれか一項に記載の差込部保持構造。
【請求項８】
請求項１〜７のいずれか一項に記載の差込部保持構造を備えることを特徴とする投写型映像表示装置。
【発明の詳細な説明】
【技術分野】
【０００１】
本発明は、コード差込口に差し込まれている状態の例えば電源コードの差込部をコード差込口から引き抜かれないように保持する差込部保持構造、及びこれを備えた投写型映像表示装置に関する。
【背景技術】
【０００２】
一般に、液晶プロジェクタ等の投写型映像表示装置は、コード差込口が設けられている電子機器であるプロジェクタ本体装置と、コード差込口に差し込まれる差込部が設けられた電源コードとを備え、プロジェクタ本体装置は、コード差込口に差し込まれた電源コードを介して、プロジェクタ本体装置の外部から電力の供給を受ける。
【０００３】
また、コード差込口に差し込まれている状態の差込部であるプラグを、コード差込口から引き抜かれないように保持する差込部保持構造として、電源コードのプラグに引っ掛かる保持金具を用いた構造が知られている（例えば特許文献１参照）。
【先行技術文献】
【特許文献】
【０００４】
【特許文献１】特開２０１１−２９１２９号公報（図７、図１０）
【発明の概要】
【発明が解決しようとする課題】
【０００５】
ところで、保持金具を電源コードのプラグに引っ掛けてプラグを保持する場合には、プラグの形状に対応するように形成された保持金具を用いる必要がある。また、電源コードに限らず、保持金具により他の用途のコードに設けられた差込部を保持する場合にも、コードの差込部の形状に対応するように形成された保持金具を用いる必要がある。従って、種々のコードにおいて、コードの差込部の形状が異なる場合には、保持金具の形状を変更しなければ、所定のコードの差込部を確実に保持することはできるものの、他のコードの差込部を確実に保持することができないおそれがある。
【０００６】
本発明は上記問題を解決するためになされたものであり、その目的は、種々のコードにおいて、コードの差込部の形状が異なる場合であっても、保持金具の形状を変更せずに差込部を確実に保持することが可能となる差込部保持構造及び投写型映像表示装置を提供することにある。
【課題を解決するための手段】
【０００７】
以下、上記目的を達成するための手段及びその作用効果について記載する。
請求項１に記載の発明は、コード差込口が設けられている電気機器と、前記コード差込口に差し込まれる差込部が設けられたコードとを備え、前記コード差込口に差し込まれている状態の前記差込部を、前記コード差込口から引き抜かれないように保持する差込部保持構造において、前記差込部を前記コード差込口に差し込む方向を「差込方向」とし、差込方向の反対方向であって前記差込部を前記コード差込口から引き抜く方向を「引抜方向」としたとき、前記差込部に対して着脱自在なアタッチメントが前記差込部に装着されることにより、前記アタッチメントと前記差込部とが係合し、前記電気機器に対して取り付けられた保持金具が、前記コード差込口に差し込まれている状態の前記差込部に装着されている前記アタッチメントと係合し、前記保持金具と前記アタッチメントが係合することにより、前記保持金具が、前記電気機器に対する前記アタッチメント及び前記差込部の引抜方向への移動を規制することを特徴とする。
【０００８】
上記発明によれば、保持金具がアタッチメントと係合することにより、アタッチメント及びアタッチメントと係合するコードの差込部は、差込部をコード差込口から引き抜く方向である引抜方向に移動することが規制される。このため、種々のコードにおいて、コードの差込部の形状が異なる場合であっても、種々のコードの差込部の形状に対応し、かつ、保持金具の形状に対応する形状に形成されたアタッチメントを用いることにより、保持金具の形状を変更せずに、コード差込口から引き抜かれないように差込部を確実に保持することが可能となる。
【０００９】
請求項２に記載の発明は、前記保持金具が前記アタッチメントと係合して引抜方向への前記差込部の移動を規制する状態を「保持状態」とし、前記保持金具が前記アタッチメントと係合せずに引抜方向への前記差込部の移動が可能な状態を「保持解除状態」としたとき、前記保持金具が、前記電気機器に対して所定の回転中心軸を回転の中心として回転可能に設けられ、前記保持金具の回転により保持解除状態から保持状態に変化し、前記保持金具が、保持状態において前記アタッチメントに対して引抜方向に位置する係止部を有し、この係止部が保持状態において前記電気機器に対する前記アタッチメントの移動を係止し、前記アタッチメントが、前記係止部に当接する金具当接面を有し、この金具当接面が、前記保持金具が回転する方向に沿って湾曲している曲面であることを特徴とする。
【００１０】
上記発明によれば、保持解除状態から保持状態に変化するときに回転する保持金具の係止部を、曲面である金具当接面上で滑らせて、アタッチメントに対して引抜方向に係止部を位置させることができる。従って、保持解除状態から保持状態に容易に変化させることができる。また、同様に保持金具の係止部を曲面である金具当接面上で滑らせて、保持状態から保持解除状態に容易に変化させることができる。
【００１１】
請求項３に記載の発明は、請求項２に記載の差込部保持構造において、保持状態において前記係止部が前記金具当接面に対して圧着されることを特徴とする。
上記発明によれば、保持状態において係止部が金具当接面に対して圧着されるため、保持金具の係止部によりアタッチメントの移動を確実に係止することができる。
【００１２】
請求項４に記載の発明は、請求項２または３に記載の差込部保持構造において、前記保持金具の回転に伴って回転中心軸を中心として回転する前記係止部の軌跡を「金具回転軌跡」としたとき、回転中心軸に平行な方向から見て、前記金具当接面が、金具回転軌跡に比べて大きな曲率を有する曲面であることを特徴とする。
【００１３】
上記発明によれば、保持金具を回転させたとき、アタッチメントの金具当接面に当接していない状態の保持金具の係止部と、アタッチメントの金具当接面との間隔が、徐々に狭くなるように構成することができる。従って、保持金具を回転させたとき、保持金具の係止部を曲面である金具当接面上で滑らせて、金具当接面に対して係止部を容易に圧着させることができる。
【００１４】
請求項５に記載の発明は、請求項２〜４のいずれか一項に記載の差込部保持構造において、前記アタッチメントには、保持状態の前記保持金具を保持する金具保持突起が設けられていることを特徴とする。
【００１５】
上記発明によれば、保持金具に外力が加わることによって保持状態から保持解除状態に変化することを抑制することができ、保持状態が維持し易くなる。また、保持状態において係止部が金具当接面に対して圧着される場合には、係止部が金具当接面に対して圧着されているときの保持状態を維持することで、アタッチメントの移動をより確実に係止することができる。
【００１６】
請求項６に記載の発明は、請求項１〜５のいずれか一項に記載の差込部保持構造において、前記アタッチメントには、前記差込部の一部を通すことが可能な内周を有する貫通孔が形成され、前記アタッチメントが、前記貫通孔が前記アタッチメントを貫通する方向を「貫通方向」として、貫通方向から見て、貫通方向に垂直な方向である前記アタッチメントの外部方向に、前記貫通孔の内周を開放する開放部を有し、前記開放部が前記コードを通すことが可能に形成され、前記外部方向から見て、前記開放部の寸法が前記貫通孔の寸法に比べて小さいことを特徴とする。
【００１７】
上記発明によれば、開放部から貫通孔にコードを通した後に、差込部にアタッチメントを寄せて、貫通孔に差込部の一部を通すことによりコードの差込部の一部をアタッチメントの貫通孔に通すことができる。このようにしてコードの差込部の一部がアタッチメントの貫通孔に通っている状態を「アタッチメント装着状態」とする。貫通方向に垂直な外部方向から見た開放部の寸法に比べて差込部の一部の寸法が大きいコードについては、コードの差込部の一部は、開放部を通ってアタッチメントの外部方向に移動することができない。従って、貫通方向に垂直な外部方向から見た開放部の寸法に比べて差込部の一部の寸法が大きいコードについて、差込部からアタッチメントが抜けないようにすることができる。
【００１８】
請求項７に記載の発明は、請求項１〜６のいずれか一項に記載の差込部保持構造において、前記アタッチメントは合成樹脂材料により形成されることを特徴とする。
上記発明によれば、種々のコードの差込部の形状に対応し、かつ、保持金具の形状に対応する形状のアタッチメントを、金型を用いて容易に形成することができる。
【００１９】
請求項８に記載の発明は、請求項１〜７のいずれか一項に記載の差込部保持構造を備えることを特徴とする。
上記発明によれば、上記効果を奏する差込部保持構造を備えているため、例えば、電源コードの差込部の保持構造に上記差込部保持構造を採用して、誤って電源コードが引き抜かれないようにすることができる。従って、投写型映像表示装置を構成する電気機器であって映像を投写して表示するプロジェクタ本体装置について、外部から電力供給を受けて映像を表示し続ける信頼性を向上することができる。
【発明の効果】
【００２０】
本発明によれば、種々のコードにおいて、コードの差込部の形状が異なる場合であっても、種々のコードの差込部の形状に対応し、かつ、保持金具の形状に対応するように形成されたアタッチメントを用いることにより、保持金具の形状を変更せずに、コード差込部から引き抜かれないように差込部を確実に保持することが可能となる。
【図面の簡単な説明】
【００２１】
【図１】本発明の一実施形態に係る電気機器の外観を示す斜視図。
【図２】同実施形態の電気機器に設けられたコード差込部を示す図１の部分拡大図。
【図３】同実施形態の投写型映像表示装置が有する差込部保持構造を示す斜視図。
【図４】（ａ）（ｂ）同実施形態の差込部保持構造を構成する保持金具を示す図。
【図５】（ａ）〜（ｆ）同実施形態の差込部保持構造を構成するアタッチメントを示す図。
【図６】同実施形態の差込部保持構造を構成するアタッチメントの斜視図。
【図７】（ａ）（ｂ）同実施形態の差込部保持構造を構成する保持金具を示す図。
【図８】同実施形態の差込部保持構造について、コード差込口に差込部が差し込まれていない状態、かつ、差込部にアタッチメントが装着されていない状態を示す模式図。
【図９】同実施形態の差込部保持構造について、（ａ）は、コード差込口に差込部が差し込まれている状態、かつ、差込部にアタッチメントが装着されている状態を示す模式図、（ｂ）は、コード差込口に差し込まれている差込部が保持されている状態を示す模式図。
【図１０】同実施形態の差込部保持構造について、（ａ）は、コード差込口に差込部が差し込まれていない状態、かつ、差込部にアタッチメントが装着されていない状態を示す模式図、（ｂ）は、コード差込口に差し込まれている差込部が保持されている状態を示す模式図。
【図１１】比較例のコード差込部を示す斜視図。
【図１２】同比較例の差込部保持構造を示す拡大図。
【図１３】同比較例の差込部保持構造について、コード差込口に差込部が差し込まれていない状態を示す模式図。
【図１４】同比較例の差込部保持構造について、（ａ）は、コード差込口に差込部が差し込まれている状態、かつ、差込部が保持されていない状態を示す模式図、（ｂ）は、コード差込口に差し込まれている差込部が保持されている状態を示す模式図。
【発明を実施するための形態】
【００２２】
以下、本発明の一実施形態について図面を参照しながら説明する。
図１に示すように、電気機器であるプロジェクタ本体装置１は、電子部品及び光学部品等を収納する筐体１１と、映像の光を投射する投射レンズ１２とを備えている。投写型映像表示装置を構成するプロジェクタ本体装置１は、投射レンズ１２から光を投射することにより、スクリーンまたは壁等の平面に映像を投写して表示する。
【００２３】
プロジェクタ本体装置１は、プロジェクタ本体装置１の外部から電力供給を受けるための電源コード差込部１３を有している。電源コード差込部１３には、コード差込口２１を有するプラグ受２と、ステンレス鋼等の金属材料により形成された保持金具３とが設けられている。
【００２４】
図２に示すように、電源コード差込部１３は、筐体１１に設けられている開口１１ａに設けられている。筐体１１には、開口１１ａを覆うとともに、開口１１ａに設けられるプラグ受２を支持する支持板１４が設けられている。プラグ受２は、ねじ１５により支持板１４に固定され、支持板１４を介して筐体１１に固定されている。
【００２５】
絶縁性の樹脂材料により形成されているプラグ受２は、プロジェクタ本体装置１の外部から供給される電力が入力される電源インレットである。交流電源から電力が入力されるプラグ受２は、いわゆるＡＣインレットである。プラグ受２は、ねじ１５により支持板１４に固定される枠部２２と、枠部２２から筐体１１の内方へ窪んだコード差込口２１とを有している。コード差込口２１には、金属端子２３が設けられている。金属端子２３は、３本の刃（ピン）により構成されている。
【００２６】
また、筐体１１には、保持金具３が取り付けられる軸支持部１１ｂが設けられている。軸支持部１１ｂは、筐体１１に形成されている貫通孔または溝により構成される。筐体１１には、図中の矢印Ｚで示す方向において、２つの軸支持部１１ｂが間隔をあけて設けられている。軸支持部１１ｂにより支持される保持金具３は、図中の一点鎖線Ａで示す回転中心軸を中心に、プロジェクタ本体装置１に対して図中の矢印Ｒで示す方向に回転可能である。
【００２７】
図３に示すように、本実施形態の差込部保持構造においては、保持金具３は、コード差込口２１に差し込まれた電源コード４Ａのプラグ４１Ａを、アタッチメント５を介して保持する。電源コード４Ａは、差込部としてプラグ４１Ａが設けられているコードである。プラグ４１Ａには、金属端子２３に接続される刃受金具（不図示）が設けられている。コード差込口２１にプラグ４１Ａが差し込まれることにより、プラグ４１Ａの刃受金具と金属端子２３とが接続される。
【００２８】
図４（ａ）及び（ｂ）に示すように、保持金具３は針金状に形成されている。図４（ａ）は、図４（ｂ）中の矢印Ｚ１に平行な方向から保持金具３を見た図であって、図４（ｂ）は、図４（ａ）中の矢印Ｙ１に平行な方向から保持金具３を見た図である。図中の各矢印Ｘ１，Ｙ１，Ｚ１は互いに直交する方向を示している。なお、図４（ｂ）中の二点鎖線は、保持金具３の回転に伴って回転中心軸を中心として回転する係止部３３の軌跡を示している。
【００２９】
保持金具３は、筐体１１の軸支持部１１ｂに取り付けられる取付軸部３１を有している。取付軸部３１は、針金状の保持金具３の両端部により構成されている。また、保持金具３は、両端部である取付軸部３１から折り曲げられて矢印Ｘ１で示す方向に延びる延設部３２を有している。矢印Ｚ１で示す方向において間隔をあけて設けられた延設部３２は、互いに矢印Ｘ１に平行な方向に延びている。また、保持金具３は、延設部３２から折り曲げられて形成された係止部３３と、保持金具３の回転動作を操作するための操作部３４とを有している。矢印Ｚ１で示す方向に延びる係止部３３は、アタッチメント５の移動を係止する部位である。操作部３４は、矢印Ｚ１で示す方向において間隔をあけて設けられた係止部３３から折り曲げられて形成されている。操作部３４は、矢印Ｘ１で示す方向に対して斜めに形成されている。即ち、操作部３４は、矢印Ｘ１が示す方向に延び、かつ、矢印Ｙ１が示す方向に延びている。
【００３０】
図５（ａ）〜（ｆ）及び図６に示すように、アタッチメント５には、円形状の内周５ａを有している。図５（ａ）及び（ｄ）は、図５中の矢印Ｙ２に平行な方向からアタッチメント５を見た図である。また、図５（ｂ）及び（ｃ）は、図５中の矢印Ｘ２に平行な方向からアタッチメント５を見た図である。また、図５（ｅ）及び（ｆ）は、図５中の矢印Ｚ２に平行な方向からアタッチメント５を見た図である。図中の各矢印Ｘ２，Ｙ２，Ｚ２は互いに直交する方向を示している。
【００３１】
ポリカーボネート等の合成樹脂材料により形成されているアタッチメント５には、内周５ａを有する貫通孔５１が形成されている。貫通孔５１は、矢印Ｙ２に平行な方向にアタッチメント５を貫通している。貫通孔５１がアタッチメント５を貫通する方向を「貫通方向」としたとき、アタッチメント５は、貫通方向から見て貫通方向に垂直な方向であるアタッチメント５の外部方向（図中の矢印Ｅ参照）に、貫通孔５１の内周５ａを開放する開放部５２を有している。図５（ａ）に示すように、アタッチメント５は、図中の矢印Ｅで示す外部方向に平行な方向から見て開放部５２の寸法Ｓ２が貫通孔５１の寸法Ｓ１に比べて小さくなるように形成されている。
【００３２】
また、アタッチメント５は、保持金具３の係止部３３に当接する金具当接面５３を有している。金具当接面５３は、保持金具３が回転する方向に沿って湾曲している曲面である。保持金具３の回転に伴って回転中心軸を中心として回転する係止部３３の軌跡を「金具回転軌跡」としたとき、保持金具３の回転中心軸に平行な方向から見て、金具当接面５３は、金具回転軌跡に比べて大きな曲率を有している。
【００３３】
また、アタッチメント５には、保持金具３の延設部３２を保持する金具保持突起５４と、金具保持突起５４が形成されている部位に弾性をもたせるためのスリット５５とが設けられている。金具保持突起５４は、矢印Ｘ２で示す方向に並んで設けられた一対の突起により構成されている。矢印Ｙ２で示す方向に延びる一対のスリット５５は、矢印Ｘ２で示す方向において金具保持突起５４を挟む位置に設けられている。スリット５５が形成されていることにより、金具保持突起５４が設けられている部位は、スリット５５が形成されていない場合に比べて、矢印Ｚ２の方向に大きく弾性変形することが可能である。
【００３４】
また、図６に示すように、アタッチメント５には、金具当接面５３の反対側において、突起５６，５７が設けられている。突起５６，５７は、図７（ａ）及び（ｂ）に示すプラグ４１Ａ，４１Ｂの形状に合わせて形成されている。
【００３５】
図７（ａ）及び（ｂ）に示すように、アタッチメント５は、プラグ４１Ａ，４１Ｂが設けられた電源コード４Ａ，４Ｂに装着される。貫通孔５１の内周５ａは、差込部であるプラグ４１Ａ，４１Ｂの一部を通すことが可能に形成されるとともに、開放部５２は電源コード４Ａ，４Ｂを通すことが可能に形成されている。図７（ａ）及び（ｂ）において、アタッチメント５は、図５中の矢印Ｚが示す方向において寸法を二等分する位置で切断された断面で示されている。
【００３６】
電源コード４Ｂは、電源コード４Ａと同様に、差込部としてプラグ４１Ｂが設けられているコードであって、プラグ４１Ｂには、金属端子２３に接続される刃受金具（不図示）が設けられている。コード差込口２１にプラグ４１Ｂが差し込まれることにより、プラグ４１Ｂの刃受金具と金属端子２３とが接続される。
【００３７】
コード差込口２１に差し込まれるプラグ４１Ａ，４１Ｂが設けられた電源コード４Ａ，４Ｂは、互いに異なる形状を有している。プラグ４１Ａ，４１Ｂは、プラグ本体部４２Ａ，４２Ｂと、コード差込口２１に挿入される挿入部４３Ａ，４３Ｂと、電源コード４Ａ，４Ｂの撓みを抑制する撓み抑制部４４Ａ，４４Ｂとを有している。
【００３８】
図７（ａ）に示すように、貫通孔５１に撓み抑制部４４Ａを通してプラグ４１Ａにアタッチメント５を装着したとき、プラグ４１Ａの形状に合わせて形成されている突起５６が、プラグ本体部４２Ａと当接する。また、図７（ｂ）に示すように、貫通孔５１に撓み抑制部４４Ｂを通してプラグ４１Ｂにアタッチメント５を装着したとき、プラグ４１Ｂの形状に合わせて形成されている突起５７が、プラグ本体部４２Ｂと当接する。このようにプラグ４１Ａ，４１Ｂの形状に対応するアタッチメント５をプラグ４１Ａ，４１Ｂに装着したとき、挿入部４３Ａの先端から金具当接面５３までの距離ＬＡと、挿入部４３Ｂの先端から金具当接面５３までの距離ＬＢとは略同じとなる。
【００３９】
プラグ４１Ａにアタッチメント５を装着するときは、開放部５２から貫通孔５１に電源コード４Ａを通した後に、プラグ４１Ａにアタッチメント５を寄せて、貫通孔５１に撓み抑制部４４Ａを通すことにより、電源コード４Ａのプラグ４１Ａの一部である撓み抑制部４４Ａをアタッチメント５の貫通孔５１に通す。また、プラグ４１Ｂにアタッチメント５を装着するときは、プラグ４１Ａを装着するときと同様にして、電源コード４Ｂのプラグ４１Ｂの一部である撓み抑制部４４Ｂをアタッチメント５の貫通孔５１に通すことができる。このようにして、撓み抑制部４４Ａ，４４Ｂをアタッチメント５の貫通孔５１に通したとき、貫通方向に垂直な外部方向から見た開放部５２の寸法Ｓ２に比べて撓み抑制部４４Ａ，４４Ｂの寸法が大きい電源コード４Ａ，４Ｂについては、撓み抑制部４４Ａ，４４Ｂは、開放部５２を通ってアタッチメント５の外部方向に移動することができない。
【００４０】
図８〜図１０を参照して、コード差込口２１が設けられているプロジェクタ本体装置１に対する、電源コード４Ａ，４Ｂの取付方法を詳しく説明する。図８及び図９は、プラグ４１Ａをコード差込口２１に差し込んで保持する工程を示している。また、図１０は、プラグ４１Ｂをコード差込口２１に差し込んで保持する工程を簡略化して示している。なお、図中の矢印Ｎは、プラグ４１Ａ，４１Ｂをコード差込口２１に差し込む方向である「差込方向」を示している。また、図中の矢印Ｆは、差込方向の反対方向であって、プラグ４１Ａ，４１Ｂをコード差込口２１から引き抜く方向である「引抜方向」を示している。
【００４１】
図８に示すように、電源コード差込部１３に電源コード４Ａを取り付ける場合には、まず、保持金具３を回転させて図８に示すロック解除位置に保持金具３を設けることによって、コード差込口２１に電源コード４Ａのプラグ４１Ａを差し込み可能な状態とする。図８において保持金具３が設けられるロック解除位置は、コード差込口２１から電源コード４Ａのプラグ４１Ａを引き抜き可能な状態とする位置でもある。
【００４２】
次いで、ロック解除位置に保持金具３を設けた状態において、コード差込口２１にプラグ４１Ａを差し込んだ後、プラグ４１Ａにアタッチメント５を装着する。または、プラグ４１Ａにアタッチメント５を装着した後、ロック解除位置に保持金具３を設けた状態において、アタッチメント５が装着されているプラグ４１Ａをコード差込口２１に差し込む。このようにして、図９（ａ）に示すように、コード差込口２１にプラグ４１Ａが差し込まれ、かつ、プラグ４１Ａにアタッチメント５が装着された状態とする。保持金具３がアタッチメント５と係合せずに引抜方向へのプラグ４１Ａの移動が可能な図９（ａ）に示す状態を「保持解除状態」とする。
【００４３】
そして、保持解除状態から保持金具３を回転させて図９（ｂ）に示すロック位置に保持金具３を設けることによって、保持金具３がコード差込口２１に差し込まれた電源コード４Ａのプラグ４１Ａを保持する。即ち、保持金具３が、プラグ４１Ａ及びアタッチメント５が引抜方向へ移動することを規制する。保持金具３がアタッチメント５と係合して引抜方向へのプラグ４１Ａの移動を規制する図９（ｂ）に示す状態を「保持状態」としたとき、保持状態において、保持金具３の係止部３３は、アタッチメント５の金具当接面５３に対して圧着される。また、金具保持突起５４は、保持状態の保持金具３を保持する。
【００４４】
また、図１０（ａ）に示すように、電源コード差込部１３に電源コード４Ｂを取り付ける場合、図８と同様に、まず、保持金具３を回転させてロック解除位置に保持金具３を設けて、コード差込口２１に電源コード４Ｂのプラグ４１Ｂを差し込み可能な状態とする。そして、ロック解除位置に保持金具３を設けた状態において、コード差込口２１にプラグ４１Ｂを差し込んだ後、プラグ４１Ｂにアタッチメント５を装着する。または、プラグ４１Ｂにアタッチメント５を装着した後、ロック解除位置に保持金具３を設けた状態において、アタッチメント５が装着されているプラグ４１Ｂをコード差込口２１に差し込む。
【００４５】
そして、保持金具３がアタッチメント５と係合せずに引抜方向へのプラグ４１Ｂの移動が可能な保持解除状態から、保持金具３を回転させて図１０（ｂ）に示すロック位置に保持金具３を設けることによって、保持金具３がコード差込口２１に差し込まれた電源コード４Ｂのプラグ４１Ｂを保持する。即ち、保持金具３が、プラグ４１Ｂ及びアタッチメント５が引抜方向へ移動することを規制する。保持金具３がアタッチメント５と係合して引抜方向へのプラグ４１Ｂの移動を規制する保持状態においても、保持金具３の係止部３３は、アタッチメント５の金具当接面５３に対して圧着される。また、金具保持突起５４は、保持状態の保持金具３を保持する。
【００４６】
以上のようにして保持金具３の回転により保持解除状態から保持状態に変化して、保持状態においてアタッチメント５に対して引抜方向に位置する係止部３３は、プロジェクタ本体装置１に対するアタッチメント５及びプラグ４１Ａ，４１Ｂの移動を規制する。
【００４７】
（作用）
プラグ４１Ａ，４１Ｂを保持するときの本発明の作用について説明する。プラグ４１Ａ，４１Ｂに対して着脱自在なアタッチメント５がプラグ４１Ａ，４１Ｂに装着されることにより、アタッチメント５とプラグ４１Ａ，４１Ｂとが係合可能となる。そして、保持金具３は、プラグ４１Ａ，４１Ｂがコード差込口２１に差し込まれている状態においてロック位置に設けられると、プラグ４１Ａ，４１Ｂに装着されているアタッチメント５と係合する。そして、保持状態において保持金具３とアタッチメント５が係合することにより、保持金具３が、プロジェクタ本体装置１に対するアタッチメント５及びプラグ４１Ａ，４１Ｂの引抜方向への移動を規制する。
【００４８】
本実施形態によれば、以下の効果を得ることができる。
（１）アタッチメント５がプラグ４１Ａに装着されることにより、アタッチメント５とプラグ４１Ａとが係合して、保持金具３が、コード差込口２１に差し込まれている状態のプラグ４１Ａに装着されているアタッチメント５と係合する。そして、保持金具３とアタッチメント５が係合することにより、保持金具３が、プロジェクタ本体装置１に対するアタッチメント５及びプラグ４１Ａの引抜方向への移動を規制する。また、アタッチメント５をプラグ４１Ｂに装着しても、プラグ４１Ａに装着したときと同様にして、保持金具３とアタッチメント５が係合することにより、保持金具３が、プロジェクタ本体装置１に対するアタッチメント５及びプラグ４１Ｂの引抜方向への移動を規制する。即ち、保持金具３がアタッチメント５と係合することにより、アタッチメント５及びアタッチメント５と係合するプラグ４１Ａ，４１Ｂは、引抜方向に移動することが規制される。このため、プラグ４１Ａ，４１Ｂの形状が異なる場合であっても、プラグ４１Ａ，４１Ｂの形状に対応し、かつ、保持金具３の形状に対応する形状に形成されたアタッチメント５を用いることにより、保持金具３の形状を変更せずに、コード差込口２１から引き抜かれないようにプラグ４１Ａ，４１Ｂを確実に保持することが可能となる。
【００４９】
（２）アタッチメント５の金具当接面５３が、保持金具３が回転する方向に沿って湾曲している曲面であるため、保持解除状態から保持状態に変化するときに回転する保持金具３の係止部３３を、曲面である金具当接面５３上で滑らせて、アタッチメント５に対して引抜方向に係止部３３を位置させることができる。従って、保持解除状態から保持状態に容易に変化させることができる。また、同様に保持金具３の係止部３３を曲面である金具当接面５３上で滑らせて、保持状態から保持解除状態に容易に変化させることができる。
【００５０】
（３）保持状態において保持金具３の係止部３３がアタッチメント５の金具当接面５３に対して圧着されるため、保持金具３の係止部３３によりアタッチメント５の移動を確実に係止することができる。
【００５１】
（４）保持金具３の回転中心軸に平行な方向から見て、アタッチメント５の金具当接面５３が、金具回転軌跡に比べて大きな曲率を有する曲面である。このため、保持金具３を回転させたとき、アタッチメント５の金具当接面５３に当接していない状態の保持金具３の係止部３３と、アタッチメント５の金具当接面５３との間隔が、徐々に狭くなるように構成することができる。従って、保持金具３を回転させたとき、保持金具３の係止部３３を曲面である金具当接面５３上で滑らせて、金具当接面５３に対して係止部３３を容易に圧着させることができる。
【００５２】
（５）アタッチメント５には、保持状態の保持金具３を保持する金具保持突起５４が設けられているため、保持金具３に外力が加わることによって保持状態から保持解除状態に変化することを抑制することができ、保持状態が維持し易くなる。また、保持状態において保持金具３の係止部３３が金具当接面５３に対して圧着されるため、係止部３３が金具当接面５３に対して圧着されているときの保持状態を維持することで、アタッチメント５の移動をより確実に係止することができる。
【００５３】
（６）プラグ４１Ａ，４１Ｂの撓み抑制部４４Ａ，４４Ｂは、開放部５２を通ってアタッチメント５の外部方向に移動することができない。従って、貫通方向に垂直な外部方向から見た開放部５２の寸法Ｓ２に比べてプラグ４１Ａ，４１Ｂの撓み抑制部４４Ａ，４４Ｂの寸法が大きい電源コード４Ａ，４Ｂについて、プラグ４１Ａ，４１Ｂからアタッチメント５が抜けないようにすることができる。
【００５４】
（７）アタッチメント５は合成樹脂材料により形成される。このため、種々の電源コード４Ａ，４Ｂのプラグ４１Ａ，４１Ｂの形状に対応し、かつ、保持金具３の形状に対応する形状のアタッチメント５を、金型を用いて容易に形成することができる。
【００５５】
（８）プロジェクタ本体装置１等により構成される投写型映像表示装置は、上記差込部保持構造を備えているため、電源コード４Ａ，４Ｂのプラグ４１Ａ，４１Ｂの保持構造に上記差込部保持構造を採用して、誤って電源コード４Ａ，４Ｂが引き抜かれないようにすることができる。従って、投写型映像表示装置を構成する電気機器であって映像を投写して表示するプロジェクタ本体装置１について、外部から電力供給を受けて映像を表示し続ける信頼性を向上することができる。
【００５６】
上記（２）及び（３）に記載の効果を、図１１〜１４に示す比較例と対比して説明する。図１１に示すように、比較例の電源コード差込部１１３には、アタッチメント５を介さずにプラグ４１Ａを保持できるように形成された保持金具１０３が設けられている。保持金具１０３は、軸支持部１１ｂに取り付けられる取付軸部１３１と、取付軸部３１から折り曲げられて延びる延設部１３２と、延設部３２から折り曲げられて形成された係止部１３３とを有している。軸支持部１１ｂにより支持される保持金具１０３は、図中の一点鎖線Ａで示す回転中心軸を中心に、プロジェクタ本体装置１に対して図中の矢印Ｒで示す方向に回転可能である。図１２に示すように、係止部１３３は、アタッチメント５の移動を係止する部位である。
【００５７】
図１３に示すように、比較例の電源コード差込部１１３に電源コード４Ａを取り付ける場合には、まず、保持金具１０３を回転させて図１３に示すロック解除位置に保持金具１０３を設けることによって、コード差込口２１に電源コード４Ａのプラグ４１Ａを差し込み可能な状態とする。図１３において保持金具１０３が設けられるロック解除位置は、コード差込口２１から電源コード４Ａのプラグ４１Ａを引き抜き可能な状態とする位置でもある。
【００５８】
次いで、ロック解除位置に保持金具１０３を設けた状態において、コード差込口２１にプラグ４１Ａを差し込む。このようにして、図１４（ａ）に示すように、コード差込口２１にプラグ４１Ａが差し込まれた状態とする。保持金具１０３がプラグ４１Ａと係合せずに引抜方向へのプラグ４１Ａの移動が可能な図１４（ａ）に示す状態を「保持解除状態」とする。
【００５９】
そして、保持解除状態から保持金具１０３を回転させて図１４（ｂ）に示すロック位置に保持金具１０３を設けることによって、保持金具１０３がコード差込口２１に差し込まれた電源コード４Ａのプラグ４１Ａを保持する。即ち、保持金具１０３が、プラグ４１Ａが引抜方向へ移動することを規制する。保持金具１０３がプラグ４１Ａと係合して引抜方向へのプラグ４１Ａの移動を規制する図１４（ｂ）に示す状態を「保持状態」とする。
【００６０】
比較例においては、図１４（ｂ）に示すように、保持状態においてプラグ本体部４２Ａと係止部１３３との間に僅かな隙間が形成されるため、保持金具１０３の係止部１３３がプラグ４１Ａに対して圧着されないという不都合がある。保持状態においてプラグ本体部４２Ａと係止部１３３との間に隙間が形成されないようにした場合には、保持解除状態から保持状態に変化するとき、保持金具１０３の係止部１３３がプラグ本体部４２Ａに引っ掛かって、保持解除状態から保持状態に容易に変化させることができないという不都合がある。
【００６１】
一方、本願発明においては寸法公差を吸収し易く上記（２）及び（３）に記載したように、アタッチメント５を使用することにより、保持金具３の係止部３３がアタッチメント５の金具当接面５３に対して圧着することができ、さらに、曲面からなる金具当接面５３上で係止部３３を滑らせて保持解除状態から保持状態に容易に変化させることができる。
【００６２】
なお、本発明は、上記実施形態に限られず、本発明の趣旨に基づいて種々の設計変更をすることが可能であって、それらを本発明の範囲から除外するものではない。例えば、上記実施形態を以下のように変更してもよく、以下の変更を組み合わせて実施してもよい。
【００６３】
・上記実施形態のアタッチメント５の形状を適宜変更してもよい。即ち、アタッチメント５が、プラグ４１Ａ，４１Ｂ以外のプラグ（不図示）の形状に合わせて形成されていてもよい。金具保持突起５４及びスリット５５をアタッチメント５に形成せずにプラグ４１Ａ，４１Ｂを保持することもできる。
【００６４】
・上記実施形態では、差込部保持構造は、電源コード４Ａ，４Ｂのプラグ４１Ａ，４１Ｂを保持する構造であるが、電源コード４Ａ，４Ｂ以外のコードに設けられた差込部を保持する構造に採用することもできる。
【符号の説明】
【００６５】
１…プロジェクタ本体装置（電気機器）、２…プラグ受、３…保持金具、４Ａ，４Ｂ…電源コード（コード）、５…アタッチメント、５ａ…内周、１１…筐体、１３…電源コード差込部、２１…コード差込口、２３…金属端子、３１…取付軸部、３２…延設部、３３…係止部、３４…操作部、４１Ａ，４１Ｂ…プラグ（差込部）、４２Ａ，４２Ｂ…挿入部、４３Ａ，４３Ｂ…プラグ本体部、４４Ａ，４４Ｂ…撓み抑制部、５１…貫通孔、５２…開放部、５３…金具当接面、５４…金具保持突起、５５…スリット、５６，５７…突起。
【図１】
2013030438.tif 000003
【図２】
2013030438.tif 000004
【図３】
2013030438.tif 000005
【図４】
2013030438.tif 000006
【図５】
2013030438.tif 000007
【図６】
2013030438.tif 000008
【図７】
2013030438.tif 000009
【図８】
2013030438.tif 000010
【図９】
2013030438.tif 000011
【図１０】
2013030438.tif 000012
【図１１】
2013030438.tif 000013
【図１２】
2013030438.tif 000014
【図１３】
2013030438.tif 000015
【図１４】
2013030438.tif 000016